【事件の表示】
　特願２００８−２０４１６１「リーダブロック、リールハブ及びこれらを用いたリール」拒絶査定不服審判事件〔平成２２年　２月１８日出願公開、特開２０１０−　４０１３７〕について、次のとおり審決する。
【結　論】
　本件審判の請求は、成り立たない。
【理　由】
１．手続の経緯
　本願は、平成２０年８月７日の出願であって、平成２４年４月１３日付け拒絶理由通知に対する応答時、同年６月１５日付けで手続補正がなされ、同年１１月２７日付け拒絶理由通知に対する応答時、平成２５年１月２４日付けで手続補正がなされ、同年２月２１日付け拒絶理由通知に対する応答時、同年４月２４日付けで手続補正がなされたが、同年６月２８日付けで拒絶査定がなされ、これに対して、同年１０月１日付けで拒絶査定不服審判の請求及び手続補正がなされた。
　その後、当審により平成２６年６月２６日付けで拒絶理由が通知されたが、請求人からは何らの応答もなされなかったものである。
　
２．本願発明
　本願の請求項１ないし７に係る発明は、平成２５年１０月１日付け手続補正書により補正された特許請求の範囲の請求項１ないし７に記載された事項により特定されるとおりのものと認められるところ、その請求項１に係る発明（以下、「本願発明」という。）は次のとおりである。
「【請求項１】
　一端の面がテープ巻き取り面の一部をなし、他端近傍がリールハブの軸心に位置するように前記リールハブの溝部に挿入されてリールを構成するリーダブロックであって、
　テープの端部に固定されたリーダピンを係合させるためのフック部が前記一端近傍に一方の側面を開放させて形成され、
　前記他端近傍には、前記リールハブの前記溝部に挿入した際に前記軸心に位置する搬送用の支持部が形成され、
　前記フック部の開放側に位置する前記一端には、前記リールハブの周方向に突出する二つの突起が、前記軸心に沿う方向に前記テープの幅以上の間隔を空けて形成され、
　前記二つの突起は、前記リールハブの前記溝部に設けられた切り欠きに係合することによって、前記一端が前記テープによって圧迫されることに起因する前記フック部の変形を防ぐことを特徴とするリーダブロック。」
　
３．引用列
（１）引用例１
　これに対して、当審が通知した拒絶の理由に引用された特開２０００−３３１４０３号公報（以下、「引用例１」という。）には、「カートリッジ磁気テープ装置のローディング・スレッディング機構」について、図面とともに以下の各記載がある（なお、下線は当審で付与した）。
　ア．「【請求項１】  シングルリールカートリッジ磁気テープ装置のローディング・スレッディング機構であって、
カートリッジを収容するカートリッジトレイを該カートリッジトレイに対するカートリッジの着脱が可能なイジェクト位置と該カートリッジのリールが前記磁気テープ装置のカートリッジリール回転駆動手段と係合可能なマウント位置との間で移動せしめるローディング機構と、
前記カートリッジに収容された磁気テープの先端部に付設されたリーダーピンと係合可能なリーダーブロックを前記マウント位置にある前記カートリッジトレイの近傍のアンロード位置と前記リーダーブロックが係合せしめられる前記磁気テープ装置のリールのコア部の切欠内のロード位置との間で所定の経路で移動せしめるスレッディング機構
前記リーダーブロックは、アンロード位置において、前記マウント位置にあるカートリッジトレイに収容されたカートリッジから退避したリトラクト位置と、前記マウント位置にあるカートリッジトレイに収容されたカートリッジ内の磁気テープの先端部に付設されたリーダーピンと係合したリーダーピンキャプチャー位置とをとることができ、
前記ローディング機構及び前記スレッディング機構を単一の駆動力発生源を用いて駆動するようにしてなることを特徴とする、カートリッジ磁気テープ装置のローディング・スレッディング機構。」 
　
　イ．「【００３６】図４，５に示されているように、
カートリッジリール１−２に巻回された磁気テープ１−６の先端にはリーダーピン１−７が取り付けられている
  
　ウ．「【００５０】
スレッディングアーム８の先端部には
上下方向のピン２６が取り付けられており、スレッディングアーム８より下の位置において該ピン２６にはリーダーブロック９の一端部が取り付けられている
リーダーブロック９には
上下方向の貫通孔９−１が形成されているが、ピン２６は貫通孔９−１を貫通する
リーダーブロック９は、ピン２６に対してルーズに適合し且つこれに保持されており、ピン２６の周りでの回動が可能
【００５１】
リーダーブロック９は、他端部の側面に、上記磁気テープ１−６の先端に付されたリーダーピン１−７と適合してこれを捕捉する上下方向のリーダーピンキャプチャー溝９−２を有する
　
　エ．「【００６１】図１１は、マシンリール３１の平面概略図である。
マシンリール３１のコア部３１−１には上記リーダーブロック９に対応する形状の切欠３１−２が形成されており
リーダーブロック９は、リーダーピン１−７をリーダーピンキャプチャー溝９−２に捕捉した状態で、図１１に示されているようにして、マシンリールコア部の切欠３１−２内に適合せしめられる
　
　オ．「【００９９】かくして
テープスレッディングが完了した後に、マシンリール３１をモータ３０で駆動する。その際のマシンリールコア部３１−１とリーダーブロック９との関係の変化を図２２に示す。即ち、マシンリール駆動以前においては、図２２（Ａ）に示されているように、ピン２６はマシンリール回転中心に位置しており、該ピン２６とリーダーブロック９の貫通孔９−１の内面とが接触している
【０１００】
その後、モータ３０によりマシンリール３１が矢印Ｂの向きに回転せしめられると
リーダーブロック９はコア中心に向かって僅かに移動する。これにより、リーダーブロックの貫通孔９−１とピン２６とが非接触となる。かくして、リーダーブロック９を、ピン２６の外径より大きな内径の貫通孔９−１内に非接触にてピン２６を配置した状態で、モータ３０によりリールコアと一体的に駆動回転せしめることが可能となる
　
　・上記引用例１に記載の「カートリッジ磁気テープ装置のローディング・スレッディング機構」のうちのスレッディング機構は、上記「ア．」の記載事項によれば、カートリッジに収容された磁気テープの先端部に付設されたリーダーピンと係合可能なリーダーブロックをアンロード位置と磁気テープ装置のリールのコア部の切欠内のロード位置との間で所定の経路で移動せしめるスレッディング機構に関するものである。
　・上記「ア．」、「イ．」の記載事項、及び図４等によれば、カートリッジに収容された磁気テープ１−６の先端部にはリーダーピン１−７が取り付けられてなるものである。
　・上記「ウ．」の段落【００５０】の記載事項、及び図８、図９等によれば、リーダーブロック９の一端部には、スレッディングアーム８に取り付けられたピン２６が貫通する貫通孔９−１が形成されており、これにより、リーダーブロック９はピン２６の周りで回動可能に当該ピン２６に保持されてなるものである。
　・上記「ウ．」の段落【００５１】の記載事項、及び図８等によれば、リーダーブロック９の他端部の側面には、リーダーピン１−７を捕捉するリーダーピンキャプチャー溝９−２が形成されてなるものである。
　・上記「エ．」、「オ．」の記載事項、及び図１１、図２２等によれば、マシンリール３１のコア部３１−１には、リーダーブロック９に対応する形状の切欠３１−２が形成されている。
　そして、テープスレッディングが完了した際には、リーダーブロック９は、リーダーピン１−７をリーダーピンキャプチャー溝９−２に捕捉した状態でリールコア部３１−１の切欠３１−２内に適合せしめられ、ピン２６はマシンリール３１の回転中心に位置し、その状態でリーダーブロック９はリールコア部３１−１と一体的に駆動回転せしめられるものである。
　またこのとき、図２２から明らかなように、リーダーブロック９の他端部側（リーダーピンキャプチャー溝９−２が形成されている端部側）の端面は、リールコア部３１−１とともに磁気テープ１−６巻き取り面の一部をなすものである。
　
　したがって、特にスレッディング機構が有するリーダーブロックに着目し、上記記載事項及び図面を総合勘案すると、引用例１には、次の発明（以下、「引用発明」という。）が記載されている。 
「カートリッジに収容された磁気テープの先端部に取り付けられたリーダーピンと係合可能なリーダーブロックをアンロード位置と磁気テープ装置のマシンリールのリールコア部の切欠内のロード位置との間で所定の経路で移動せしめるスレッディング機構におけるリーダーブロックであって、
　その一端部には、スレッディングアームに取り付けられたピンが貫通する貫通孔が形成されており、これにより、当該リーダーブロックは前記ピンの周りで回動可能に当該ピンに保持され、
　他端部の側面には、前記リーダーピンを捕捉するリーダーピンキャプチャー溝が形成され、
　テープスレッディングが完了した際には、当該リーダーブロックは、前記リーダーピンを前記リーダーピンキャプチャー溝に捕捉した状態で前記リールコア部の前記切欠内に適合せしめられ、このとき、前記ピンは前記マシンリールの回転中心に位置し、その状態で当該リーダーブロックは前記リールコア部と一体的に駆動回転せしめられ、また、当該リーダーブロックの他端部側（前記リーダーピンキャプチャー溝が形成されている端部側）の端面は、前記リールコア部とともに磁気テープ巻き取り面の一部をなすリーダーブロック。」
　
（２）引用例２
　同じく当審が通知した拒絶の理由に引用された特開２００１−２９７５６３号公報（以下、「引用例２」という。）には、「データ記憶テープカートリッジ用リーダーブロック組立体」について、図面とともに以下の各記載がある（なお、下線は当審で付与した）。
　ア．「【請求項１】  
記憶テープの一部分を保持し、テープ駆動巻取りリールとともに使用するためのリーダーブロック組立体であって
対向側面と、前端と、端面で終わる後端と、第１および第２耳部とを有するほぼ矩形の本体であって、前記耳部は、前記後端に形成されて、前記後端の幅の実質的部分に沿って前記側面に対して半径方向に延在し、前記耳部は、駆動巻取りリール内に挿入された時に、端面が長手方向に摺動するのを実質的に防止するように構成されている矩形本体、を有するリーダーブロック組立体
【請求項２】  前記矩形本体は、前記端面における幅を画定し、
前記第１および第２耳部の各々は、前記幅の少なくとも５０％である長さを有する横断接触面を備える
　　　　　　　　・・・・・（中　略）・・・・・
【請求項４】  テープ駆動システムに使用するための巻取りリールと大略矩形のリーダーブロック組立体とを組合せた装置であって、
巻取りリールは、ハブ
を備え
前記ハブは
ハブ内に形成されテープ巻取り面にほぼ垂直に延在するスロットとを備え
該スロットは、前記テープ巻取り面に隣接する係合領域で末端を有し
該係合領域は、対向する横断棚状突起を備え、
リーダーブロック組立体は、前記巻取りリールの前記スロット内に取外し可能に挿入することができると共に、前端と、後端と、対向する側面と、後端に配置された一対の耳部とを有し
前記耳部の各々は、それぞれ、前記側面から延在する横断接触面を備え
前記リーダーブロック組立体を前記巻取りリールの前記スロット内に挿入したときに、前記横断接触面が前記スロットの半径方向の棚状突起に係合して、前記後端が前記テープ巻取り面に対して半径方向内側に長手方向に摺動するのを防止するように、前記後端が前記係合領域内に配置される
　
　イ．「【０００５】図１および図２に示すように、従来のリーダブロック１０は、前端１４および後端１６を画定するほぼ矩形の本体１２を備える。
　　　　　　　　　・・・・・（中　略）・・・・・
【０００８】データ記憶テープ（図示しない）は、挿入後、ハブ３２周囲に巻かれる。理論上、リーダーブロック１０の端面の半径は、ハブ３２の半径に「一致する」。
しかし、巻かれたテープの量が増加すると、実質的な圧力がリーダーブロック１０の半径方向内側に加わり、端面１８の有意な中間部分が、テープ巻取り面３６に対して半径方向内側に屈曲するかまたは垂下する。こうした垂下が生じるのは、ノッチ４０がリーダーブロック１０に対して与える半径方向の支持が比較的小さいためである。こうした垂下によって、リーダーブロック１０の端面１８とテープ巻取り面３６との間に不一致つまり隙間が生じる
　
　ウ．「【００２２】図６および図７は、本発明の好ましい一実施態様によるリーダーブロック組立体６０の斜視図である。リーダーブロック組立体６０は、ほぼ矩形であり、基部ブロック１０２およびテープクランプ１０４を備える。基部ブロック１０２およびテープクランプ１０４が結合すると、前端１０６と、後端１０８と、第１面１１２と、第２面１１４と、縁部１１６と、ほぼＬ形の突出部１１８とを画定する。
リーダーブロック組立体６０は、後端１０８に隣接するテープクランプ１０４上に配置された第１突出部つまり耳部１３０と、外側端部１０８に隣接して基部ブロック１０２上に配置された第２突出部つまり耳部１３２とをさらに備える
【００２３】耳部１３０および１３２の特徴を図８に詳細に示す。
第２耳部１３２は、第１横断接触面１４０および第１側方接触面１４４を画定し、第１耳部１３０は、第２横断接触面１４２および第２側方接触面１４６を画定する
　
　エ．「【００２８】当然、製造上の制約または優先事項に関係なく、第１耳部１３０は、第２耳部１３２の長さにほぼ等しい長さを有することが好ましく、両方の耳部１３０、１３２は、リーダーブロック組立体６０全体の幅ｗ０にほぼ等しい長さを有することが好ましい。さらに、耳部１３０および１３２の一方または両方は、リーダーブロック６０全体の幅ｗ０より多少短い長さを有しても良く、それでもなお、比較的小さい先行技術のフランジ係合突出部（たとえば、図１および図２の突出部２２）より比較的大きいハブ係合突出部を使用することにより、本発明の主な利点が得られる。特に重要な点は、横断接触面１４０、１４２の長さである。以下に記載するように、横断面１４０、１４２は、巻取りリールハブの対応部分に界接／当接する表面領域を提供する。したがって、横断面１４０、１４２は各々、連続しており、巻取りリールハブの幅にほぼ等しい長さを有することが好ましい。あるいは、
横断面１４０、１４２は各々、離間配置された２つ以上の突出部を備え、リーダーブロック組立体６０の幅ｗ０未満の長さ１１、１２を画定することができる
　
　オ．「【００３２】使用時、リーダーブロック組立体６０（および取り付けられた記憶テープ５６）は、カートリッジ５０（図５）から図１０の巻取りリール１７０などのようなテープ駆動巻取りリールに供給される。
駆動巻取りリール１７０は、対向するフランジ１７４の間に固定されたリング形ハブ１７２を備える。ハブ１７２は、テープ巻取り面１７６と、リーダーブロック係合領域１８０で終端するスロット１７８とを備える
　　　　　　　　　・・・・・（中　略）・・・・・
【００３４】特に、図１２に示すように、
リーダーブロック組立体６０を挿入すると、リーダーブロック組立体６０の後端１０８は、係合領域１８０の内部に配置され、係合領域１８０により支持される。たとえば、係合領域１８０の棚状突起１８４は、それぞれ耳部１３０、１３２の第１および第２横断接触面１４０、１４２を収容するように係合して支持する。この接触は、リーダーブロック組立体６０がテープ巻取り面１７６に対して半径方向内側にさらに摺動するのを防止する
【００３５】
本発明によるリーダーブロック組立体６０の構造上の特徴は、多くの利点を有する
リーダーブロック組立体６０が駆動巻取りリール１７０のテープ巻取り面１７６に対して半径方向内側に、長手方向に摺動して屈曲するのを実質的に防止することができる
　
　・上記引用例２に記載のデータ記憶テープカートリッジ用の「リーダーブロック組立体」は、上記「ア．」の記載事項、及び図６〜１２によれば、記憶テープ５６の一部分を保持し、テープ駆動巻取りリール１７０とともに使用するためのリーダーブロック組立体６０であって、テープ駆動巻取りリール１７０のハブ１７２のスロット１７８内に取外し可能に挿入することができると共に、前端１０６と、端面１４８で終わる後端１０８と、対向する側面１１２，１１４とを有するリーダブロック組立体６０に関するものである。
　なお、図１２からも明かなように、端面１４８は、記憶テープ巻取り面の一部をなすものである。
　・上記「ア．」〜「ウ．」、「オ．」の記載事項、図６〜８、図１２によれば、リーダブロック組立体６０には、後端１０８に、後端１０８の幅方向に沿って対向する側面１１２，１１４それぞれからハブ１７２の周方向に延在する横断接触面１４０，１４２及び側方接触面１４４，１４６を備える一対の耳部１３０，１３２が設けられ、当該リーダブロック組立体６０をテープ駆動巻取りリール１７０のスロット１７８内に挿入したときに、一対の耳部１３０，１３２がスロット１７８の末端に形成された一対のリーダーブロック係合領域１８０に係合する構成としてなるものである。
　なお、図６〜８、図１０〜１２からも明らかなように、耳部１３０，１３２は突起といえるものであり、一方、これが係合するリーダーブロック係合領域１８０は切り欠きといえるものである。
　そして、これにより、上記「ア．」、「イ．」、「オ．」の記載事項によれば、記憶テープ巻取り面の一部をなす端面１４８がハブ１７２のテープ巻取り面に対して半径方向内側に屈曲して当該端面１４８とハブ１７２のテープ巻取り面との間の不一致が生じるのを防止するようにしたものであると理解できる。
　
　したがって、上記記載事項及び図面を総合勘案すると、引用例２には、次の技術事項が記載されている。
「記憶テープの一部分を保持し、テープ駆動巻取りリールとともに使用するためのものであって、当該テープ駆動巻取りリールのハブのスロット内に取外し可能に挿入することができると共に、前端と、記憶テープ巻取り面の一部をなす端面で終わる後端と、対向する側面とを有するリーダブロック組立体において、
　前記後端に、前記後端の幅方向に沿って前記対向する側面それぞれから前記ハブの周方向に延在する横断接触面及び側方接触面を備える一対の耳部（突起）を設け、当該リーダーブロック組立体を前記テープ駆動巻取りリールの前記スロット内に挿入したときに、前記一対の耳部が前記スロットの末端に形成された一対のリーダーブロック係合領域（切り欠き）に係合する構成とし、それにより、記憶テープ巻取り面の一部をなす前記端面が前記ハブのテープ巻取り面に対して半径方向内側に屈曲して当該端面と前記ハブのテープ巻取り面との間の不一致が生じるのを防止するようにしたこと。」
　
４．対比
　そこで、本願発明と引用発明とを対比すると、
（１）引用発明における「マシンリール」、「リールコア部」、「リーダーブロック」は、それぞれ本願発明における「リール」、「リールハブ」、「リーダブロック」に相当し、
　引用発明における「カートリッジに収容された磁気テープの先端部に取り付けられたリーダーピンと係合可能なリーダーブロックをアンロード位置と磁気テープ装置のマシンリールのリールコア部の切欠内のロード位置との間で所定の経路で移動せしめるスレッディング機構におけるリーダーブロックであって、その一端部には、スレッディングアームに取り付けられたピンが貫通する貫通孔が形成されており、これにより、当該リーダーブロックは前記ピンの周りで回動可能に当該ピンに保持され、・・・・・テープスレッディングが完了した際には、当該リーダーブロックは、前記リーダーピンを前記リーダーピンキャプチャー溝に捕捉した状態で前記リールコア部の前記切欠内に適合せしめられ、このとき、前記ピンは前記マシンリールの回転中心に位置し、その状態で当該リーダーブロックは前記リールコア部と一体的に駆動回転せしめられ、また、当該リーダーブロックの他端部側（前記リーダーピンキャプチャー溝が形成されている端部側）の端面は、前記リールコア部とともに磁気テープ巻き取り面の一部をなすリーダーブロック。」によれば、
 (a)引用発明における、リーダーブロックの他端部側の「端面」は、リールコア部とともに磁気テープ巻き取り面の一部をなすものであるから、本願発明における、テープ巻き取り面の一部をなす「一端の面」に相当し、
 (b)引用発明における、リールコア部の「切欠」は、テープスレッディングが完了した際には当該切欠内にリーダーブロックが挿入されて適合せしめられるものであることから、本願発明における、リールハブの「溝部」に相当し、
 (c)引用発明における、スレッディングアームに取り付けられたピンが貫通する貫通孔が形成された「一端部」は、テープスレッディングが完了した際にはピンがマシンリールの回転中心に位置し、その状態でリーダーブロックはリールコア部と一体的に駆動回転せしめられるものであることから、本願発明における、リールハブの溝部に挿入されたときにリールハブの軸心に位置する「他端近傍」に相当するといえ、
　したがって、本願発明と引用発明とは、「一端の面がテープ巻き取り面の一部をなし、他端近傍がリールハブの軸心に位置するように前記リールハブの溝部に挿入されてリールを構成するリーダブロックであって」の点で一致する。
　
（２）引用発明における、磁気テープの先端部に取り付けられた「リーダーピン」は、本願発明における、テープの端部に固定された「リーダピン」に相当し、　
　引用発明における「カートリッジに収容された磁気テープの先端部に取り付けられたリーダーピンと係合可能なリーダーブロック・・・スレッディング機構におけるリーダーブロックであって」、「他端部の側面には、前記リーダーピンを捕捉するリーダーピンキャプチャー溝が形成され」によれば、
 (a)引用発明における、「リーダーピンキャプチャー溝」は、他端部の側面に形成されてなるものであり、当然、リーダーピンを捕捉、つまり係合させるために当該側面の側が開放された溝形状をなすことから、この「リーダーピンキャプチャー溝」が形成された部分は、本願発明でいう「フック部」に相当し、
 (b)また、その側面にリーダーピンキャプチャー溝が形成されてなる「他端部」は、本願発明における、フック部が形成された「一端近傍」に相当するといえる。
　したがって、本願発明と引用発明とは、「テープの端部に固定されたリーダピンを係合させるためのフック部が前記一端近傍に一方の側面を開放させて形成され」てなるものである点で一致する。
　
（３）引用発明における「その一端部には、スレッディングアームに取り付けられたピンが貫通する貫通孔が形成されており、これにより、当該リーダーブロックは前記ピンの周りで回動可能に当該ピンに保持され」、「テープスレッディングが完了した際には、当該リーダーブロックは、前記リーダーピンを前記リーダーピンキャプチャー溝に捕捉した状態で前記リールコア部の前記切欠内に適合せしめられ、このとき、前記ピンは前記マシンリールの回転中心に位置し、その状態で当該リーダーブロックは前記リールコア部と一体的に駆動回転せしめられ・・」によれば、
　スレッディングアームに取り付けられたピンが貫通する「貫通孔」は、ピンが貫通することによって搬送機構であるスレッディングアームに支持されるものであるといえるから、本願発明における、搬送用の「支持部」に相当し、
　本願発明と引用発明とは、「前記他端近傍には、前記リールハブの前記溝部に挿入した際に前記軸心に位置する搬送用の支持部が形成され」てなるものである点で一致する。
　
　よって、本願発明と引用発明とは、
「一端の面がテープ巻き取り面の一部をなし、他端近傍がリールハブの軸心に位置するように前記リールハブの溝部に挿入されてリールを構成するリーダブロックであって、
　テープの端部に固定されたリーダピンを係合させるためのフック部が前記一端近傍に一方の側面を開放させて形成され、
　前記他端近傍には、前記リールハブの前記溝部に挿入した際に前記軸心に位置する搬送用の支持部が形成されたことを特徴とするリーダブロック。」
である点で一致し、次の点で相違する。
　
［相違点］
　本願発明では、「前記フック部の開放側に位置する前記一端には、前記リールハブの周方向に突出する二つの突起が、前記軸心に沿う方向に前記テープの幅以上の間隔を空けて形成され、前記二つの突起は、前記リールハブの前記溝部に設けられた切り欠きに係合することによって、前記一端が前記テープによって圧迫されることに起因する前記フック部の変形を防ぐ」ものである旨特定するのに対し、引用発明では、そのような特定を有していない点。
　
５．判断
　上記相違点について検討する。
　引用例２（前記「３．（２）」を参照）には、記憶テープの一部分を保持し、テープ駆動巻取りリールとともに使用するためのものであって、当該テープ駆動巻取りリールのハブのスロット内に取外し可能に挿入することができると共に、前端と、記憶テープ巻取り面の一部をなす端面で終わる後端と、対向する側面とを有するリーダブロック組立体において、前記後端に、前記後端の幅方向に沿って前記対向する側面それぞれから前記ハブの周方向に延在する横断接触面及び側方接触面を備える一対の耳部（突起）を設け、当該リーダーブロック組立体を前記テープ駆動巻取りリールの前記スロット内に挿入したときに、前記一対の耳部が前記スロットの末端に形成された一対のリーダーブロック係合領域（切り欠き）に係合する構成とし、それにより、記憶テープ巻取り面の一部をなす前記端面が前記ハブのテープ巻取り面に対して半径方向内側に屈曲して当該端面と前記ハブのテープ巻取り面との間の不一致が生じるのを防止するようにした技術事項が記載されており、引用発明においてもかかる技術事項を採用し、リーダーブロックにおけるリーダーピンキャプチャー溝の開放側に位置する他端部の側にリールコア部の周方向に突出する耳部（突起）を形成し、テープスレッディングが完了した際には該突起がリールコア部の切欠の末端に設けられた係合領域（切り欠き）に係合することによって他端部側の端面が磁気テープによって圧迫されることに起因するリーダーピンキャプチャー溝が形成された部分の変形を防ぐ構成とすることは当業者であれば容易になし得ることである。なおその際、リーダピンキャプチャー溝の開放側に設けられる耳部（突起）にあっては、テープ面が当接してしまう邪魔な部分は除去するようにすること、すなわち、当該耳部（突起）をテープの幅以上の間隔を空けて２つに分けて設けるようすること〔なお、引用例２の段落【００２８】（前記「３．（２）エ．」を参照）には「・・あるいは、横断面１４０、１４２は各々、離間配置された２つ以上の突出部を備え、リーダーブロック組立体６０の幅ｗ０未満の長さ１１、１２を画定することができる。」とも記載されているところである。〕も当業者であればごく普通に想到し得ることである。
　
　そして、本願発明が奏する効果についてみても、引用発明及び引用例２に記載の技術事項から当業者が十分に予測できたものであって、格別顕著なものがあるとはいえない。 
　
　よって、本願発明は、引用発明及び引用例２に記載の技術事項に基づいて当業者が容易に発明をすることができたものである。
　
６．むすび
　以上のとおり、本願の請求項１に係る発明は、引用発明及び引用例２に記載の技術事項に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。